(57)【要約】【課題】軸筒の両側に筆記部となるペン先を備えると共に、軸筒内のインキ吸蔵体に含浸された水性インキ、油性インキなどの筆記具用インキを筆記部となる夫々のペン先に供給するツインタイプの筆記具において、インキの終了サインを視覚により簡単に、かつ、確実に検知することができる筆記具を提供する。【解決手段】軸筒１０の両側に筆記部となるペン先５０、６０を備えると共に、軸筒１０内のインキ吸蔵体２０に含浸されたインキを夫々のペン先５０、６０に供給するツインタイプの筆記具Ａであって、上記インキ吸蔵体２０に含浸されたインキは夫々視認性を有するインキ誘導管３０、４０を介して各ペン先５０、６０に供給され、かつ、インキ吸蔵体２０からのインキ終了サインを夫々軸筒１０に形成した各視認部１２、１３を介して上記夫々のインキ誘導管３０、４０を視認することにより検知することを特徴とする筆記具。【選択図】　図１
2004066478.tif 000002
【特許請求の範囲】
【請求項１】
軸筒の両側に筆記部となるペン先を備えると共に、軸筒内のインキ吸蔵体に含浸されたインキを夫々のペン先に供給するツインタイプの筆記具であって、上記インキ吸蔵体に含浸されたインキは夫々視認性を有するインキ誘導管を介して各ペン先に供給され、かつ、インキ吸蔵体からのインキ終了サインを夫々軸筒に形成した各視認部を介して上記夫々のインキ誘導管を視認することにより検知することを特徴とする筆記具。
【請求項２】
軸筒内のインキ吸蔵体が一つであることを特徴とする請求項１に記載の筆記具。
【請求項３】
軸筒内が隔離され、隔離された各軸筒内には夫々インキ吸蔵体が収容されていることを特徴とする請求項１又は２に記載の筆記具。
【請求項４】
軸筒の両側に備える各ペン先が、フェルトペン芯、スライバー芯、ボールペン、繊維束芯、焼結芯、万年筆、毛筆から選ばれた一つであり、各ペン先が同じ機構又は異なる機構からなることを特徴とする請求項１〜３の何れか一つに記載の筆記具。
【請求項５】
インキ吸蔵体に含浸されたインキは、中継芯を介してインキ誘導管に供給されることを特徴とする請求項１〜４の何れか一つに記載の筆記具。
【請求項６】
インキ誘導管と中継芯との接合部が外気に対して閉じていることを特徴とする請求項５に記載の筆記具。
【請求項７】
中継芯により視認性を有するインキ誘導管に供給されたインキは、更にペン先中継芯を介してペン先に供給されることを特徴とする請求項５又は６に記載の筆記具。
【請求項８】
インキ誘導管、インキ吸蔵体、中継芯、ペン先、インキ誘導管と中継芯との接合部によって形成されるキャピラリーの毛細管力が、インキ誘導管と中継芯との接合部＞ペン先＞中継芯＞インキ吸蔵体＞インキ誘導管の関係にあることを特徴とする請求項５に記載の筆記具。
【請求項９】
視認性を有するインキ誘導管のインキと接する面又はインキ誘導管の材質自体の表面張力がインキの表面張力よりも小さいことを特徴とする請求項１〜８の何れか一つに記載の筆記具。
【請求項１０】
インキ吸蔵体の毛細管力の分布が、ペン先側へ向かうほど大きくなることを特徴とする請求項１〜９の何れか一つに記載の筆記具。
【請求項１１】
軸筒の内径がペン先側へ向かうほど狭くなる構造となることを特徴とする請求項１〜１０の何れか一つに記載の筆記具。
【請求項１２】
軸筒のペン先側内側にリブ体を複数軸方向に形成されていることを特徴とする請求項１〜１１の何れか一つに記載の筆記具。
【請求項１３】
中継芯が、繊維束芯、樹脂粒子多孔体及びスライバー芯の何れか一つからなり、これらの中継芯が連続流路を持つことによりインキ誘導管の見かけ断面積を維持したまま実質的にインキ誘導管を流れるインキ流路断面積をコントロールできることを特徴とする請求項１〜１２の何れか一つに記載の筆記具。
【請求項１４】
インキ視認性を有するインキ誘導管の中にインキよりも表面張力が小さくインキと色の違う棒状又は管状体がインキ誘導管と平行に入れることによりインキ誘導管の見かけ断面積を維持したまま実質的にインキ誘導管を流れるインキ流路断面積をコントロールできることを特徴とする請求項１〜１３の何れか一つに記載の筆記具。
【請求項１５】
インキ誘導管が複数本形成されていることを特徴とする請求項１〜１４の何れか一つに記載の筆記具。
【請求項１６】
軸筒の視認部の長さが１ｍｍ以上筆記具の全長以下であることを特徴とする請求項１〜１５の何れか一つに記載の筆記具。
【請求項１７】
インキ誘導管のインキ流路断面積が０．８〜８０ｍｍ２であることを特徴とする請求項１〜１６の何れか一つに記載の筆記具。
【請求項１８】
インキの表面張力が２５℃下で１８ｍＮ／ｍ以上であることを特徴とする請求項１〜１７の何れか一つに記載の筆記具。
【請求項１９】
インキの粘度係数が２５℃下で２００ｍＰａ・ｓ以下であることを特徴とする請求項１〜１８の何れか一つに記載の筆記具。
【発明の詳細な説明】
【０００１】
【発明の属する技術分野】
本発明は、軸筒の両側に筆記部となるペン先を備えると共に、軸筒内のインキ吸蔵体に含浸されたインキを夫々のペン先に供給するツインタイプの筆記具に関し、更に詳しくは、この構造の筆記具においてインキの終了サインを簡単に検知することができる筆記具に関する。
【０００２】
【従来の技術】
従来より、インキの残量・インキの終了サインを知ることができる筆記具としては、例えば、軸体内に直接液状インキを収容してなるコレクター構造を有する直液筆記具、インキがカートリッジ式のインキ収容管に収容された構造の筆記具、透明のリフィールにボールペン用インキが充填されたタイプのボールぺンなどが知られている。
【０００３】
ところで、軸筒の両側に筆記部となるペン先を備えると共に、軸筒内のインキ吸蔵体に含浸された水性インキ、油性インキなどの筆記具用インキを筆記部となる夫々のペン先に供給するツインタイプの所謂中綿式の筆記具にあっては、今までインキ終了サインを検知できる機構を具備した筆記具はないのが現状である。
そのため、この構造の筆記具では、筆記中にインキがカスレるまで使用して初めてインキの終了が判り、その後、廃棄又はインキを補充することにより再使用されるものであるが、カスレはペン先の乾燥等によっても生じるため、インキ吸蔵体に含浸されたインキが十分あるにも拘わらずペン先の乾燥等によりカスレた場合等には本来のインキの終了サインではなく、使用性等に課題があるものである。
【０００４】
一方、特開平６−２７０５８５号公報などには、透明な軸筒内にインキ吸蔵体となる中綿が収納され、該中綿に含浸されたインキを筆記部となるペン先に供給されると共に、中綿からペン先まで筆記具の中身を視認することができる筆記具が開示されている。
しかしながら、この構造の筆記具にあっては、中綿に吸蔵されたインキ量が少なくなれば吸蔵されているインキ色の度合いによりある程度のインキ残量は確認することができるが、確実にインキの終了サインを検知できるものではなく、この筆記具にあっても使用性等に課題があるものである。
【０００５】
【発明が解決しようとする課題】
本発明は、上記従来技術の課題及び現状等に鑑み、これを解消しようとするものであり、軸筒の両側に筆記部となるペン先を備えると共に、軸筒内のインキ吸蔵体に含浸された水性インキ、油性インキなどの筆記具用インキを筆記部となる夫々のペン先に供給する筆記具において、インキの終了サインを簡単に、かつ、確実に検知することができる筆記具を提供することを目的とする。
【０００６】
【課題を解決するための手段】
本発明者らは、上記従来技術の課題等について鋭意検討を重ねた結果、筆記部となる軸筒の両側に筆記部となるペン先を備えると共に、軸筒内のインキ吸蔵体に含浸されたインキを夫々のペン先に供給するツインタイプの筆記具における軸筒の構成、並びに、インキ吸蔵体からペン先にインキを供給する機構を特定の構成等とすることにより、上記目的の筆記具が得られることを見いだし、本発明を完成するに至ったのである。
【０００７】
すなわち、本発明の筆記具は、次の（１）〜（１９）に存する。
（１）　軸筒の両側に筆記部となるペン先を備えると共に、軸筒内のインキ吸蔵体に含浸されたインキを夫々のペン先に供給するツインタイプの筆記具であって、上記インキ吸蔵体に含浸されたインキは夫々視認性を有するインキ誘導管を介して各ペン先に供給され、かつ、インキ吸蔵体からのインキ終了サインを夫々軸筒に形成した各視認部を介して上記夫々のインキ誘導管を視認することにより検知することを特徴とする筆記具。
（２）　軸筒内のインキ吸蔵体が一つであることを特徴とする上記（１）に記載の筆記具。
（３）　軸筒内が隔離され、隔離された各軸筒内には夫々インキ吸蔵体が収容されていることを特徴とする上記（１）又は（２）に記載の筆記具。
（４）　軸筒の両側に備える各ペン先が、フェルトペン芯、スライバー芯、ボールペン、繊維束芯、焼結芯、万年筆、毛筆から選ばれた一つであり、各ペン先が同じ機構又は異なる機構からなることを特徴とする上記（１）〜（３）の何れか一つに記載の筆記具。
（５）　インキ吸蔵体に含浸されたインキは、中継芯を介してインキ誘導管に供給されることを特徴とする上記（１）〜（４）の何れか一つに記載の筆記具。
（６）　インキ誘導管と中継芯との接合部が外気に対して閉じていることを特徴とする上記（５）に記載の筆記具。
（７）　中継芯により視認性を有するインキ誘導管に供給されたインキは、更にペン先中継芯を介してペン先に供給されることを特徴とする上記（５）又は（６）に記載の筆記具。
（８）　インキ誘導管、インキ吸蔵体、中継芯、ペン先、インキ誘導管と中継芯との接合部によって形成されるキャピラリーの毛細管力が、インキ誘導管と中継芯との接合部＞ペン先＞中継芯＞インキ吸蔵体＞インキ誘導管の関係にあることを特徴とする上記（５）に記載の筆記具。
（９）　視認性を有するインキ誘導管のインキと接する面又はインキ誘導管の材質自体の表面張力がインキの表面張力よりも小さいことを特徴とする上記（１）〜（８）の何れか一つに記載の筆記具。
（１０）　インキ吸蔵体の毛細管力の分布が、ペン先側へ向かうほど大きくなることを特徴とする上記（１）〜（９）の何れか一つに記載の筆記具。
（１１）　軸筒の内径がペン先側へ向かうほど狭くなる構造となることを特徴とする上記（１）〜（１０）の何れか一つに記載の筆記具。
（１２）　軸筒のペン先側内側にリブ体を複数軸方向に形成されていることを特徴とする上記（１）〜（１１）の何れか一つに記載の筆記具。
（１３）　中継芯が、繊維束芯、樹脂粒子多孔体及びスライバー芯の何れか一つからなり、これらの中継芯が連続流路を持つことによりインキ誘導管の見かけ断面積を維持したまま実質的にインキ誘導管を流れるインキ流路断面積をコントロールできることを特徴とする上記（１）〜（１２）の何れか一つに記載の筆記具。
（１４）　インキ視認性を有するインキ誘導管の中にインキよりも表面張力が小さくインキと色の違う棒状又は管状体がインキ誘導管と平行に入れることによりインキ誘導管の見かけ断面積を維持したまま実質的にインキ誘導管を流れるインキ流路断面積をコントロールできることを特徴とする上記（１）〜（１３）の何れか一つに記載の筆記具。
（１５）　インキ誘導管が複数本形成されていることを特徴とする上記（１）〜（１４）の何れか一つに記載の筆記具。
（１６）　軸筒の視認部の長さが１ｍｍ以上筆記具の全長以下であることを特徴とする上記（１）〜（１５）の何れか一つに記載の筆記具。
（１７）　インキ誘導管のインキ流路断面積が０．８〜８０ｍｍ２であることを特徴とする上記（１）〜（１６）の何れか一つに記載の筆記具。
（１８）　インキの表面張力が２５℃下で１８ｍＮ／ｍ以上であることを特徴とする上記（１）〜（１７）の何れか一つに記載の筆記具。
（１９）　インキの粘度係数が２５℃下で２００ｍＰａ・ｓ以下であることを特徴とする上記（１）〜（１８）の何れか一つに記載の筆記具。
【０００８】
【発明の実施の形態】
以下に、本発明の実施の形態を図面を参照しながら詳しく説明する。
本発明の筆記具は、軸筒の両側に筆記部となるペン先を備えると共に、軸筒内のインキ吸蔵体に含浸されたインキを夫々のペン先に供給するツインタイプの筆記具であって、上記インキ吸蔵体に含浸されたインキは夫々視認性を有するインキ誘導管を介して各ペン先に供給され、かつ、インキ吸蔵体からのインキ終了サインを夫々軸筒に形成した各視認部を介して上記夫々のインキ誘導管を視認することにより検知することを特徴とするものである。
【０００９】
図１〜図３は、本発明の第１実施形態を示すツインタイプの筆記具であり、サインペン（太字、細字）、マーカー（太字、細字）、ホワイトボード用マーカー（太字、細字）等に好適に適用することができるものである。
本第１実施形態の筆記具Ａは、図１及び図３に示すように、筆記具本体となる軸筒１０、インキ吸蔵体２０、インキ誘導管３０、４０、ペン先５０、６０とを備え、一つのインキ吸蔵体２０に含浸されたインキを軸筒１０の両側に備えた太字用のペン先５０、細字用のペン先６０に供給する構造である。
軸筒１０は、例えば、合成樹脂製から構成されるものであり、その両側の先端側は各テーパー部を有する各小径部１０ａ、１０ｂと、大径部１０ｃとが一体となったものであり、該小径部１０ａ内には太字用となるペン先５０を嵌着する嵌着部１１ａを有すると共に、他方の小径部１０ｂ内には細字用となるペン先６０を嵌着する嵌着部１１ｂを有し、かつ、大径部１０ｃ内には筆記具用インキを含浸したインキ吸蔵体２０、インキ誘導管３０、４０を夫々収容する構造となっている。
【００１０】
また、軸筒１０の大径部１０ｃの夫々の先端側は、図１及び図３に示すように、軸筒内を視認できるように透明体又は半透明体から構成された視認部１２、１３を有し、それ以外は別部材等により非視認部となっている。
なお、軸筒１０全体を視認性を有する透明又は半透明材料から構成して、軸筒１０全体を視認できるものであってもよいものであり、また、軸筒１０全体を視認性を有する透明又は半透明材料から構成して、視認部１２、１３以外を着色部や装飾部として非視認部としてもよいものである。
この視認部１２、１３の各全長は、該視認部１２、１３より、軸筒１０内に保持される各インキ誘導管３０、４０を視認できる長さであればよく、夫々１ｍｍ以上筆記具本体（本実施形態では軸筒）の全長以下、好ましくは、５ｍｍ以上とすることが望ましい。なお、視認部１２、１３の各全長が１ｍｍ未満であると、インキ終了サインの検知を視認し難く検知機能を果たせないこととなる。
【００１１】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したものであり、軸筒１０の夫々の前方部を封塞する後部保持体２１、２２とにより軸筒２０内に収容されている。
【００１２】
インキ誘導管３０、４０は、図１に示すように、視認性を有する筒状（管状）のインキ流路部材となるものであり、例えば、樹脂、ゴム、または、ガラス製等の透明部材又は半透明部材の材質から構成されている。具体的には、透明又は半透明の樹脂としては、例えば、ポリプロピレン（ＰＰ）、ポリメチルペンテン、ポリエチレン（ＰＥ）、環状ポリオレフィン、ポリエチレンテレフタレート（ＰＥＴ）、ポリエチレンナフタレート（ＰＥＮ）、ポリアミド、ポリスチレン、ポリカーボネート、フッ素樹脂等が挙げられ、また、透明又は半透明のゴムとしては、シリコーンゴム等が挙げられる。本実施形態では、夫々ＰＰや環状ポリオレフィンから構成されている。
この各インキ誘導管３０、４０の後端部分３０ａ、４０ａは、後部保持体２１、２２を貫通してインキ吸蔵体２０内部に通じると共に、前端部分３０ｂ、４０ｂは軸筒１０の小径部１０ａ、１０ｂ内を封塞する各前部保持体２３，２４を貫通してペン先５０、６０の後端部分に嵌入されている。これにより、インキ誘導管３０、４０は、夫々軸筒１０内を封塞する後部保持体２１と前部保持体２３と、並びに、後部保持体２２と前部保持体２４とにより、軸筒１０内に夫々視認空間部１４，１５が形成されると共に、該視認空間部１４、１５の中心部分に夫々保持されるものとなっている。
【００１３】
この構成により、軸筒１０の視認部１２、１３を視認すれば視認部１２、１３を介してインキ誘導管３０、４０が容易に視認されることとなる。また、インキ吸蔵体２０に含浸されたインキは毛細管力により効率よく各インキ誘導管３０、４０に夫々流入し、該インキ誘導管３０、４０を介してペン先５０、６０に供給されることとなる。
このインキ誘導管３０、４０の全長は、ペン先５０、６０の種類により適宜設定されるものであり、通常、インキ誘導管の全長はインキ吸蔵体２０の毛細管力によりインキ吸蔵体２０の夫々の前端からペン先５０、６０までの長さが規定されるのでその長さの範囲内で規定される。また、インキ誘導管３０、４０の各インキ流路断面積は、インキ誘導管３０、４０内にインキが更に円滑にスムーズに通過させるために、０．８〜８０ｍｍ２、更に好ましくは、０．５〜２０ｍｍ２することが望ましい。
このインキ流路断面積が０．８ｍｍ２未満であると、インキ流量が少なく筆記時のインキ追従性に劣ることとなる。一方、８０ｍｍ２を越えると、インキ誘導管３０、４０の長さを長く取れずインキ終了の検知視認がし難くなる。なお、８０ｍｍ２を越える断面積でインキ誘導管の長さを長くすれば、インキ終了の検知視認は容易になるが、この場合には、ペン先下向き筆記においてはペン先から過剰量のインキが流出することとなる。
【００１４】
また、インキ吸蔵体２０からペン先５０、６０までのインキの供給を更に円滑に、かつ、スムーズに行うために、視認性を有するインキ誘導管３０、４０のインキと接する面又はインキ誘導管３０、４０の材質自体の表面張力がインキの表面張力よりも小さくすることが好ましい。なお、インキ誘導管３０、４０のインキと接する面がインキの表面張力よりも大きい場合には、フッ素樹脂処理、シリコーンゴム又はシリコーン樹脂処理などを施すことにより、インキ誘導管３０、４０のインキと接する面をインキの表面張力よりも小さくすることもできる。
更に、インキ誘導管３０、４０の横断面形状としては、例えば、図２（ａ）〜（ｊ）に示すように、円形状〔図２（ａ）〕、若しくは、三角形状〔図２（ｂ）〕、四角形状〔図２（ｃ）〕、五角形形状〔図２（ｄ）〕、六角形状〔図２（ｅ）〕、菱形形状〔図２（ｇ）〕などの多角形状、または、楕円形状〔図２（ｆ）〕、星型形状〔図２（ｈ）〕、円形状で内部に多数のＶ条溝又は突起体を有する形状〔図２（ｉ）又は（ｊ）〕などが挙げられ、インキ吸蔵体２０からペン先５０、６０までのインキの供給が円滑に行われ、視認性を妨げるものでなければ、特に限定されるものではない。本実施形態のインキ誘導管３０、４０は、横断面形状は円形形状である。
【００１５】
ペン先５０、６０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態により選択されるものである。すなわち、軸筒１０の両側に備える各ペン先５０、６０が、フェルトペン芯、スライバー芯、ボールペン、繊維束芯、焼結芯、万年筆、毛筆から選ばれた一つであり、各ペン先が同じ機構又は異なる機構からなり、本実施形態では、太字用と細字用のフェルトペン芯とからなるものである。
【００１６】
上記インキ吸蔵体２０に含浸せしめるインキとしては、一般に用いられている各配合組成となる水性インキ、油性インキなどの筆記具用インキであれば、特に限定されず、サインペン用、マーキングペン用、ボールペン用、ホワイトボード用など用途に応じた水性又は油性の液状インキが挙げられる。好ましくは、インキ誘導管３０、４０での終了サインを更に良好に検知するために、インキの表面張力を２５℃下で１８ｍＮ／ｍ以上、更に好ましくは、２５〜５０ｍＮ／ｍとすることが望ましい。なお、インキの表面張力の調整は、インキ組成に界面活性剤などを必要に応じて配合することにより、調整することができる。
更に、インキ吸蔵体２０から、インキ誘導管３０、４０を介してペン先５０，６０へのインキを更に円滑に、かつ、スムーズな供給をするために、好ましくは、インキの粘度係数を２５℃下で２００ｍＰａ・ｓ以下、更に好ましくは、１〜１０ｍＰａ・ｓとすることが望ましい。このインキの粘度係数が２００ｍＰａ・ｓを越えると、インキの流動性が悪くなり、十分なインキ流出量が出ないため流量不足による描線カスレや早書きできない場合が生じることがある。なお、インキの粘度係数の調整は、インキ組成に増粘剤などを必要に応じて配合することにより、調整することができる。
【００１７】
このように構成される本第１実施形態の筆記具Ａでは、図１及び図３に示すように、インキ吸蔵体２０に含浸されたインキは毛細管力により、夫々インキ誘導管３０、４０内をとおり、ペン先５０、６０に浸透して筆記が可能となる。
この第１実施形態の筆記具Ａでは、インキ吸蔵体２０に含浸されたインキは、夫々常時インキ誘導管３０、４０内をとおりペン先５０、６０に供給される構造であるので、筆記によりインキ吸蔵体２０に含浸されたインキが減少して終了する場合には、インキ誘導管３０、４０内のインキの通過が無くなることにより判るものとなる。
すなわち、本実施形態の筆記具Ａでは、インキ吸蔵体２０からのインキ終了サインを軸筒１０に形成した視認部１２、１３を介して上記インキ誘導管３０、４０を視認することにより検知することができるものとなる。従って、ぺン先５０、６０でのインキのカスレがペン先５０、６０での乾燥によるものか、または、インキの消費による本来の終了によるのかを視覚により明確に、かつ簡単に判断することができるものとなる。
【００１８】
なお、本実施形態では、インキがインキ誘導管３０、４０からペン先５０、６０に過剰に供給され、インキがペン先５０か、６０から漏れ出すことなどを防止するために、ペン先５０、６０の後端部分外周にインキ吸収体を設けてもよいものである。このインキ吸収体は、小径部１０ａ内のペン先４０の後端部分外周に形成される空間部１６、１７に配置されることとなる。
【００１９】
図４（ａ）〜（ｃ）は、上記第１実施形態の変形例である。図４（ａ）はインキ吸蔵体の毛細管力の分布を軸筒１０両側のペン先５０、６０側へ向かうほど大きくする形態、例えば、インキ吸蔵体２０を構成する繊維束間の隙間がペン先側へ向かうほど狭くなる構造、すなわち、粗密部２０ａと細密部２０ｂとにより構成したものである。
図４（ｂ）は、軸筒１０の内径がペン先５０、６０側へ向かうほど狭くなる構造（先細形状）したものであり、インキ吸蔵体２０もペン先側へ向かうほど狭くなる構造である。
図４（ｃ）は、インキ吸蔵体２０を収容する軸筒１０の内壁部内側にリブ体１０ｄ，１０ｄ……を複数軸方向に形成した構造である。
このような図４（ａ）〜（ｃ）の各構成又はこれらの組合わせを更に上記第１実施形態の筆記具Ａに採用することにより、インキ吸蔵体２０に含浸されたインキは更にインキ誘導管３０、４０内に良好に流入し、ペン先５０、６０に良好に供給されることとなる。
【００２０】
図５は、本発明の第２実施形態を示すものである。本第２実施形態の筆記具Ｂは、軸筒１０の両側に備える各ペン先５０ａ、６０ａが、夫々異なる機構、すなわち、アンダーライン用の繊維束芯、サインペン用の焼結芯からなる点、アンダーライン用の繊維束芯５０ａが軸筒１０に固着される先軸１０ｅで保持されている点で、上記第１実施形態の筆記具Ａと異なるものである。なお、図５において、上記第１実施形態と同様の構成は同一符号を付けてその説明を省略する。
本第２実施形態の筆記具Ｂでは、上記第１実施形態と同様に、インキ吸蔵体２０に含浸されたインキはインキ誘導管３０、４０内をとおりペン先５０ａ、６０ａに円滑に供給されてアンダーライン用、サインペン用として筆記が可能となる。また、この筆記具Ｂでは、インキ吸蔵体２０のインキ終了サインを軸筒１０に形成した視認部１２、１３を介して上記インキ誘導管３０、４０を視認することにより検知することができることとなる。
更に、上記第２実施形態の筆記具Ｂに、図４（ａ）〜（ｃ）に示す変形例を適用してもよいものである（以下の実施形態においても同様）。
【００２１】
図６は、本発明の第３実施形態を示すものである。本第３実施形態の筆記具Ｃは、軸筒１０の両側に備える各ペン先５０ｂ、６０ｂが、夫々異なる機構、すなわち、ボールペン用のペン先、サインペン用の焼結芯からなる点で、上記第１実施形態の筆記具Ａと異なるものである。なお、図６において、上記第１実施形態と同様の構成は同一符号を付けてその説明を省略する。
本第３実施形態の筆記具Ｃでは、上記第１実施形態と同様に、インキ吸蔵体２０に含浸されたインキはインキ誘導管３０、４０内をとおりペン先５０ｂ、６０ｂに円滑に供給されてボールペン用、サインペン用として筆記が可能となる。また、この筆記具Ｃでは、インキ吸蔵体２０のインキ終了サインを軸筒１０に形成した視認部１２、１３を介して上記インキ誘導管３０、４０を視認することにより検知することができることとなる。
【００２２】
図７は、本発明の第４実施形態を示すものである。本第４実施形態の筆記具Ｄは、軸筒１０の両側に備える各ペン先５０ｃ，６０ｃが、同じ機構、すなわち、ボール径例えば、０．１ｍｍと０．５ｍｍと異なるボールペン用のペン先からなる点で、上記第１実施形態の筆記具Ａと異なるものである。なお、図７において、上記第１実施形態と同様の構成は同一符号を付けてその説明を省略する。
本第３実施形態の筆記具Ｄでは、上記第１実施形態と同様に、インキ吸蔵体２０に含浸されたインキはインキ誘導管３０、４０内をとおりペン先５０ｃ、６０ｃに円滑に供給されてボールペン用（太字、細字）として筆記が可能となる。また、この筆記具Ｄでは、インキ吸蔵体２０のインキ終了サインを軸筒１０に形成した視認部１２、１３を介して上記インキ誘導管３０、４０を視認することにより検知することができることとなる。
【００２３】
図８は、本発明の第５実施形態を示すものである。本第５実施形態の筆記具Ｅは、軸筒１０内が隔壁体１０ｆにより２室に隔離され、隔離された各軸筒体１０ｇ、１０ｈ内には夫々インキ種が異なるインキが含浸されたインキ吸蔵体２０ｃ、２０ｄが収容されている点で、上記第１実施形態の筆記具Ａと異なるものである。なお、図８において、上記第１実施形態と同様の構成は同一符号を付けてその説明を省略する。
本第５実施形態の筆記具Ｅでは、インキ吸蔵体２０ｃ、２０ｄに含浸された各インキはインキ誘導管３０、４０内をとおりペン先５０、６０に円滑に供給されてサインペン用（太字、細字）として筆記が可能となる。本実施形態では、上記第１実施形態と較べて、軸筒１０内が２室に隔離されているので、例えば、赤色、黒色の２色のインキ種を各インキ吸蔵体２０ｃ、２０ｄに含浸せしめることにより、１本の筆記具で２本分の筆記用途を発揮せしめることができるものとなる。
また、この筆記具Ｅでは、各インキ吸蔵体２０ｃ、２０ｄに含浸された各インキ終了サインを軸筒１０の両側に形成した視認部１２、１３を介して上記インキ誘導管３０、４０を視認することにより夫々検知することができることとなる。
【００２４】
図９（ａ）及び（ｂ）は、本発明の第６実施形態を示すものである。本第６実施形態の筆記具Ｆは、インキ吸蔵体２０に含浸されたインキを中継芯２５を介してインキ導入管３０に供給する点で、上記第１実施形態の筆記具Ａと異なるものである。なお、図９において、上記第１実施形態と同様の構成は同一符号を付けてその説明を省略する。
中継芯２５は、上記第１実施形態のインキ吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものであり、インキ吸蔵体２０に含浸されたインキを該中継芯２５を介して視認性を有するインキ誘導管３０へ供給できるものであれば、特にその形状、構造等は限定されるものでないが、例えば、図９（ａ）及び（ｂ）に示すように、中継芯２５の先端部には、インキ誘導管３０の後端部３０ａ内に挿入される挿入部２６を有し、その後端部は鋭角な形状となる鋭角部２７を有するものが挙げられる。また、インキ吸蔵体２０の先端側には、上記中継芯２５の外層部と接触できる空洞部２０ｅが設けられている。この図９（ａ）及び（ｂ）に示す、挿入部２６及び鋭角部２７を有する中継芯２５及び空洞部２０ａを有するインキ吸蔵体２０の構造等により、インキ吸蔵体２０に含浸されたインキは中継芯２５を介して視認性を有するインキ誘導管３０へ更に効率よく供給できるものとなる。
更に、上記中継芯２５の毛細管力はインキ吸蔵体２０の毛細管力より大きくすること、並びに、中継芯２５の断面構造を内層部及び外層部を有する構造とし、外層部の毛細管力が内層部の毛細管力よりも大きくすること、例えば、外層部の繊維束密度を細密部とし、内層部の繊維束密度を粗密部とすることにより、インキ吸蔵体２０に含浸されたインキをインキ誘導管３０へ効率よく供給できるものとなる。
【００２５】
ここで、中継芯２５の全長はインキ吸蔵体２０の全長の５％以上、好ましくは、１０％以上１００％以下の長さでインキ吸蔵体２０内部と接触していること、すなわち、中継芯２５のインキ吸蔵体２０内部と接触する長さＬ１は、インキ吸蔵体２０の全長の５％以上、好ましくは１０％以上の長さとすることが望ましく、更に好ましくは、２０％以上１００％以下、特に好ましくは、５０％以上１００％以下の長さでインキ吸蔵体２０内部と接触していることが望ましい。これにより、インキ吸蔵体２０に含まれるインキを更にインキ誘導管３０へ効率よく供給することができるものとなる。図９（ａ）及び（ｂ）に示す中継芯２５の長さＬ１は、インキ吸蔵体２０の全長の２０％に設定されている。なお、インキ吸蔵体２０内部と接触する長さが５％未満であると、通常の中綿式の筆記具と同レベルのインキ消費率となってしまう場合がある。
更に、中継芯２５の断面積Ｗ１は、インキ吸蔵体２０の断面積Ｗの１〜９０％、好ましくは、２〜２５％、更に好ましくは、４〜１０％とすることが望ましい。
この中継芯２５の断面積Ｗ１が１％未満であると、ペン先４０の形態にもよるが、インキ吸蔵体２０からのインキ供給量が不足し描線カスレや早書き追従性に劣るなどの問題を生じ、また、９０％を越えると、インキ吸蔵体２０中に挿入し難くなるばかりでなくインキ吸蔵体２０としての機能が小さくなり中継芯２５とした従来からある中綿式の筆記具と何等変わらないものとなる。
上記中継芯２５の断面積Ｗ１をインキ吸蔵体２０の断面積Ｗの１〜９０％に設定することにより、インキ吸蔵体２０に含まれるインキを更にインキ誘導管３０へ効率よく供給することができるものとなる。なお、図９（ａ）及び（ｂ）に示す中継芯２５の断面積Ｗ１は、インキ吸蔵体２０の断面積Ｗの６０％に設定されている。
更に、上記第６実施形態の筆記具Ｆにおいて、中継芯が、繊維束芯、樹脂粒子多孔体及びスライバー芯の何れか一つからなり、これらの中継芯が連続流路を持つことによりインキ誘導管の見かけ断面積を維持したまま実質的にインキ誘導管を流れるインキ流路断面積をコントロールできるものである。すなわち、インキ誘導管内の流動抵抗を大きくし、ペンを落下させたときになどの衝撃に対してインキ誘導管内でのインキ切れを抑制することができる。
更に、インキ誘導管３０、インキ吸蔵体２０、中継芯２５、ペン先５０、インキ誘導管３０と中継芯２５との接合部の隙間によって形成されるキャピラリーの毛細管力が、インキ誘導管と中継芯との接合部の隙間＞ペン先５０＞中継芯２５＞インキ吸蔵体２０＞インキ誘導管３０の関係を充足することにより、更にインキをスムーズに流通させることができる。
【００２６】
更に、本第６実施形態の筆記具Ｆにおいて、中継芯２５より視認性を有するインキ誘導管３０に供給されたインキは、更にインキ誘導管３０の前端部分３０ｂに挿入されるペン先中継芯２８を介してペン先５０に供給される構造としてもよいものである。
このように構成される本第６実施形態の筆記具Ｆでは、インキ吸蔵体２０に含浸されたインキは中継芯２５を介してインキ誘導管３０内をとおりペン先５０、又はペン先中継芯２８を介してペン先５０に円滑に供給されて筆記が可能となる。また、この筆記具Ｆでは、インキ吸蔵体２０のインキ終了サインを軸筒１０に形成した視認部１２を介して上記インキ誘導管３０を視認することにより検知することができることとなる。
好ましくは、インキ誘導管３０、インキ吸蔵体２０、ペン先中継芯２８、中継芯２５、ペン先５０、インキ誘導管３０と中継芯２５との接合部の隙間によって形成されるキャピラリーの毛細管力は、インキ誘導管３０と中継芯２５との接合部の隙間＞ペン先５０＞ペン先中継芯２８＞インキ吸蔵体２０＞インキ誘導管３０の関係に設定することが望ましい。この関係を充足することにより、更に、ペン先上向き筆記においても良好な筆記が可能とすることができるものとなる。
更にまた、本実施形態では、ペン先５０の片側のみを示したものであるが、反対側となるペン先６０側にも上記と同様の構成となる中継芯２５及び／又はペン先中継芯２８を介してインキ誘導管４０にインキを供給してもよいものである。
【００２７】
図１０（ａ）及び（ｂ）は、本発明の第７実施形態を示すものである。本第７実施形態の筆記具Ｇは、視認性を有するインキ誘導管３１，３２を複数本、本実施形態では長さの相違する透明部材又は半透明部材から構成された視認性を有するインキ誘導管３１，３２を２本設けた点で、上記第１実施形態の筆記具Ａと異なるものである。なお、図１０（ａ）及び（ｂ）において、上記第１実施形態と同様の構成は同一符号を付けてその説明を省略する。
本第７実施形態の筆記具Ｇでは、全長が長いインキ誘導管３１及び短いインキ誘導管３２は、図１０（ｂ）に示すように、共に後端部分３１ａ，３２ａは、後部保持体２１を貫通してインキ吸蔵体２０内部に長さの差Ｘをもって嵌入されると共に、前端部分３１ｂ，３２ｂは軸筒１０の小径部１０ａ内を封塞する前部保持体２３を貫通してペン先５０の後端部分に夫々端部を揃えて嵌入されている。これにより、インキ誘導管３１，３２は、該視認空間部１４の中心部分に保持されるものとなっている。
【００２８】
この本第７実施形態の筆記具Ｇでは、上記第１実施形態と同様に、インキ吸蔵体２０に含浸されたインキはインキ誘導管３１、３２内をとおりペン先５０に供給されて筆記が可能となる。また、この筆記具Ｇでは、インキ誘導管の各端部３１ａ，３２ａはＸの長さの差をもってインキ吸蔵体２０に刺し込まれているので、インキ吸蔵体２０のインキの含浸率が最大から次第に筆記により消費されると、長いインキ誘導管３１のインキが流れずに切れてインキ吸蔵体２０にはインキが、例えば、８０％程度残っていることを視認部１２を介して検知させ、次いで、更なる筆記によりインキが消費されて、短いインキ誘導管３２のインキが流れずに切れた場合、すなわち、インキ吸蔵体２０にはインキが終了したことを視認部１２を介して検知することができることとなる。
従って、本第７実施形態の筆記具Ｇでは、インキ誘導管の各端部３１ａ，３２ａはＸの長さの差をもって配置することにより、インキ吸蔵体２０のインキ残量及び終了サインを軸筒１０に形成した視認部１２を介して上記インキ誘導管３１，３２を視認することにより検知することができることとなる。
【００２９】
なお、上記第７実施形態では、インキ誘導管３１，３２の長さを相違したものを用いたが、同じ長さのインキ誘導管であってよいものであり、この場合はインキの供給を良好にすると共にインキ終了サインを検知することができるものとなる。
また、上記第７実施形態では、インキ誘導管の数を２本としたが、筆記具の用途などにより、適宜、インキ誘導管の長さが異なるもの又は同じものを３本以上設けてもよいものである。
更に、上記第６実施形態の中継芯２５、ペン先中継芯２８を採用してもよいものである。また、本実施形態では、ペン先５０の片側のみを示したものであるが、反対側となるペン先６０側にも上記と同様の構成となるものを用いてインキ誘導管４０にインキを供給してもよいものである。
【００３０】
図１１（ａ）〜（ｃ）は、本発明の第８実施形態を示すものである。本第８実施形態の筆記具Ｈでは、視認性を有するインキ誘導管３５の中にインキ吸蔵体２０に含浸されたインキよりも表面張力が小さくインキと色の違う樹脂、例えば、ポリプロピレンなどからなる繊維束の棒状体３６〔図１１（ｂ）〕又は樹脂粒子、例えば、ポリプロピレン樹脂粒子からなる多孔体３７〔図１１（ｃ）〕がインキ誘導管３５と平行に挿入されて、インキ誘導管３５の見かけ断面積を維持したまま実質的にインキ誘導管３５を流れるインキ流路断面積がコントロールされている点でのみ、上記第１実施形態の筆記具Ａと異なるものである。なお、棒状体３６、多孔体３７の長さは、中継芯２５の挿入部がインキ誘導管３５の後端部分に挿入されるので、インキ誘導管３０の長さよりも短くなっている。また、図１１（ａ）及び（ｂ）において、上記第１実施形態と同様の構成は同一符号を付けてその説明を省略する。
本第４実施形態の棒状体３６又は多孔体３７の色相は、インキ吸蔵体２０に含浸されたインキの色と異なること、好ましくは、用いるインキ色で隠蔽される色となるものが望ましく、例えば、白色が挙げられる。
【００３１】
本第８実施形態の筆記具Ｈでは、インキ吸蔵体２０に含浸されたインキは棒状体３６又は多孔体３７がインキ誘導管３５の内壁と接することなく挿入された視認性を有するインキ誘導管３５をとおりペン先５０に供給されて筆記が可能となる。この筆記具Ｈでは、インキよりも表面張力が小さく、かつ、インキと色の違う棒状体３６又は多孔体３７をインキ誘導管３５の内部にインキ誘導管３５の内壁と接することなく具備させることにより、インキ誘導管３５を流れるインキ流路断面積を減らし、インキ誘導管の見かけ断面積をそのままに実質的に断面積を減らすことができるので、インキ誘導管３５内を流れるインキ容量も減らすことができるので、インキ終了の検知機能とインキ終了時のインキ流出過剰の問題を同時に解決できることとなる。
また、本第８実施形態の筆記具Ｈでは、上述の第１〜第７実施形態の筆記具におけるインキの終了サインをインキ誘導管におけるインキ切れの視認により検知したものと相違し、インキが終了（インキ切れ）した場合に、インキ誘導管３５にはインキ色と異なる棒状体３６又は多孔体３７の色相で視認することができるので、インキの終了サインをより明確に視覚に訴えることができるものとなる。更に、上記第６実施形態の中継芯２５、ペン先中継芯２８を採用してもよいものである。また、本実施形態では、ペン先５０の片側のみを示したものであるが、反対側となるペン先６０側にも上記と同様の構成となるものを用いてインキ誘導管４０にインキを供給してもよいものである。
【００３２】
図１２は、本発明の第９実施形態を示すものである。本第９実施形態の筆記具Ｉは、軸筒１０内が隔壁体１０ｉにより２室に隔離され、隔離された各軸筒体１０ｊ、１０ｋ内には夫々インキ種が異なるインキが含浸されたインキ吸蔵体２０ｆ、２０ｇが収容されている点で、上記第１実施形態の筆記具Ａと異なるものである。なお、図１２において、上記第１実施形態と同様の構成は同一符号を付けてその説明を省略する。
本第９実施形態の筆記具Ｉでは、インキ吸蔵体２０ｆ、２０ｇに含浸された各インキはインキ誘導管３０、４０内をとおりペン先５０ｂ、６０ｂに円滑に供給されてボールペン用、サインペン用として筆記が可能となる。本実施形態では、上記第１実施形態と較べて、軸筒１０内が２室に隔離されているので、例えば、赤色のサインペン用、黒色のボールペン用の２色のインキ種を各インキ吸蔵体２０ｆ、２０ｇに含浸せしめることにより、１本の筆記具で２本分の筆記用途を発揮せしめることができるものとなる。
また、この筆記具Ｉでは、各インキ吸蔵体２０ｆ、２０ｇに含浸された各インキ終了サインを軸筒１０の両側に形成した視認部１２、１３を介して上記インキ誘導管３０、４０を視認することにより夫々検知することができることとなる。サインを視認部１２を介してインキ誘導管３０を視認することにより検知されるものである。なお、インキ吸蔵体２０ｆ、２０ｇに含浸せしめるインキ種を異なるものとしたが、適宜同じインキ種としてもよいものである。
【００３３】
本発明の筆記具は、上記各実施形態に限定されるものでなく、本発明の要旨を変更しない範囲で種々の形態に変更できることはいうまでもない。
例えば、上記第１実施形態（図４の変形例を含む）〜第９実施形態の各実施形態を好適に組合わせること、例えば、第１〜第５実施形態の各筆記具に第６〜第８実施形態の各筆記具を適用してもよいものである。
また、本発明の筆記具は、軸筒１０の両側に筆記部となるペン先５０、６０を備えると共に、軸筒１０内のインキ吸蔵体２０に含浸されたインキを夫々のペン先５０、６０に供給するツインタイプの筆記具であって、上記インキ吸蔵体２０に含浸されたインキは夫々視認性を有するインキ誘導管３０、４０を介して各ペン先５０、６０に供給され、かつ、インキ吸蔵体２０からのインキ終了サインを夫々軸筒１０に形成した各視認部１２、１３を介して上記夫々のインキ誘導管３０、４０を視認することにより検知できる構造を要旨とするので、この要旨を変更しない構成は特に限定されるものではなく、各種公知の筆記具構造が採用でき、また、ペン先、インキ種をボールペン、サインペン、マーキングペン、筆ペンなどの用途などによって変更して好適に各種用途の筆記具に適用することができるものである。
更に、筆記具用インキを修正液、塗布液、化粧品等の液状化粧料等とした塗布具にも適用してもよいものである。
【００３４】
【実施例】
次に、本発明を具体的な実施例に基づき更に詳細に説明するが、本発明は下記実施例に限定されるものではない。
インキ等の表面張力の測定は、ウィルヘルミー法（協和界面科学社製、ＣＢＶＰ−Ｚ型）により測定し、インキの粘度係数は、回転粘度計（トキメック社製、ＴＶ−２０Ｌ）により測定した。
【００３５】
また、インキ吸蔵体に含浸せしめたインキは、下記組成のものを用いた。
▲１▼蛍光アンダーライン用インキ組成（配合単位：重量％、全量１００重量％）
グリセリン　　　　　　　　　　　　　　　　　　　２５．０重量％
防腐剤（プロキセルＧＸＬ、ＩＣＩ社製）　　　　　　０．７重量％
蛍光桃色トナー（ＮＫＷ−３９０７、日本蛍光社製）３０．０重量％
精製水　　　　　　　　　　　　　　　　　　　　　　残　部
上記蛍光桃色トナー（ＮＫＷ−３９０７、日本蛍光社製）に代えて、同量の蛍光黄色トナー（ＮＫＷ−５００５、日本蛍光社製）、または、蛍光青色トナー（ＮＫＷ−２１０８、日本蛍光社製）、または、蛍光緑トナー（ＮＫＷ−５００２、日本蛍光社製）を用いて、各色（桃色、黄色、青色、緑色）の蛍光アンダーライン用インキを調製した。
この各色の蛍光アンダーライン用インキのインキ表面張力は３５ｍＮ／ｍ、インキ粘度係数は３ｍＰａ・ｓであった。
【００３６】
▲２▼油性サインペン用インキ組成（配合単位：重量％、全量１００重量％）
ベンジルアルコール　　　　　　　　　　　　　　　　３．５重量％
アルキルフェノール樹脂　　　　　　　　　　　　　１０．０重量％
ＳＢＮブルー７０１（保土ヶ谷化学社製）　　　　　　４．０重量％
界面活性剤（サンソフトＱ−１８２Ｆ、太陽化学社製）０．６重量％
乳酸エチル　　　　　　　　　　　　　　　　　　　　３．０重量％
エタノール　　　　　　　　　　　　　　　　　　　　残　部
インキ表面張力：２１ｍＮ／ｍ
インキ粘度係数：２．２ｍＰａ・ｓ
【００３７】
▲３▼水性サインペン用インキ組成（配合単位：重量％、全量１００重量％）
カーボンブラック（Ｄｅｇｕｓｓａ社製、Ｐｒｉｎｔｅｘ２５）　　　１１．０重量％
アクリル樹脂　　　　　　　　　　　　　　　　　　　６．０重量％
エチレングリコール　　　　　　　　　　　　　　　　２．７６重量％
界面活性剤（サーフロンＳ−１１１、旭硝子社製）　　０．１重量％
アミノメチルプロパノール　　　　　　　　　　　　　０．２２重量％
防腐剤（プロキセルＧＸＬ、ＩＣＩ社製）　　　　　　０．７重量％
精製水　　　　　　　　　　　　　　　　　　　　　　残　部
インキ表面張力：２５ｍＮ／ｍ
インキ粘度係数：３ｍＰａ・ｓ
【００３８】
▲４▼水性ボールペン用インキ組成（配合単位：重量％、全量１００重量％）
Ｃ．Ｉ．Ｄｉｒｅｃｔ　Ｂｌａｃｋ−１５４　　　　　　　　　　　　　　　４．５重量％
Ｃ．Ｉ．Ｄｉｒｅｃｔ　Ｂｌａｃｋ−１５４　　　　　　　　　　　　　　　１．５重量％
エチレングリコール　　　　　　　　　　　　　　　１０．０重量％
グリセリン　　　　　　　　　　　　　　　　　　　１０．０重量％
ゲル化剤（キサンタンガム）　　　　　　　　　　　　０．１８重量％
防腐剤（プロキセルＧＸＬ、ＩＣＩ社製）　　　　　　０．５重量％
スチレンアクリル酸樹脂（アンモニア中和）　　　　　３．０重量％
界面活性剤（ＥＣＴＤ３ＮＥＸ、日光ケミカルズ社製）０．２重量％
精製水　　　　　　　　　　　　　　　　　　　　　　残　部
インキ表面張力：４０ｍＮ／ｍ
インキ粘度係数：５ｍＰａ・ｓ
【００３９】
▲５▼水性ボールペン用インキ組成（配合単位：重量％、全量１００重量％）
Ｃ．Ｉ．Ａｃｉｄ　Ｂｌｕｅ−１５　　　　　　　　　　　　　　　　　３．０重量％
Ｃ．Ｉ．Ａｃｉｄ　Ｒｅｄ−８７　　　　　　　　　　　　　　　　　　　　　　　　　　　　　　　１．０重量％
エチレングリコール　　　　　　　　　　　　　　　１０．０重量％
グリセリン　　　　　　　　　　　　　　　　　　　１０．０重量％
ゲル化剤（キサンタンガム）　　　　　　　　　　　　０．１８重量％
防腐剤（プロキセルＧＸＬ、ＩＣＩ社製）　　　　　　０．５重量％
スチレンアクリル酸樹脂（アンモニア中和）　　　　　３．０重量％
界面活性剤（ＥＣＴＤ３ＮＥＸ、日光ケミカルズ社製）０．２重量％
精製水　　　　　　　　　　　　　　　　　　　　　　残　部
インキ表面張力：４１ｍＮ／ｍ
インキ粘度係数：５ｍＰａ・ｓ
【００４０】
〔実施例１、アンダーライン用〕
下記構成の軸筒、インキ吸蔵体、インキ誘導管、中継芯、ペン先、インキ組成を用いた図１３に準拠するツイン型アンダーライン用ペンＪを作製した。
▲１▼軸筒１０
ＰＰ製、全長１００ｍｍ、各視認部１２の長さ１０ｍｍ
▲２▼インキ吸蔵体２０、２０
共にＰＥＴ製の中綿から構成（気孔率８０％）、直径７ｍｍ、長さ４０ｍｍ
▲３▼インキ誘導管３０、３０
共にＰＰ製、内径２ｍｍ、外径３ｍｍ、長さ２０ｍｍ、インキ流路断面積０．０３ｍｍ２、インキ誘導管の材質自体（内面、以下同様）の表面張力（２５℃）３１ｍＮ／ｍ、後端部分がインキ吸蔵体２０に嵌入する長さ５ｍｍ
▲４▼中継芯２５、２５
共にＰＥＴ製のスライバーから構成（気孔率７０％）、直径２ｍｍ、長さ３０ｍｍ、インキ誘導管３０内に嵌入する長さ５ｍｍ
▲５▼ペン先５０ａ
共にＰＥＴ製のスライバー芯から構成（気孔率６０％）、長さ１５ｍｍ
▲６▼インキ組成
上記▲１▼の蛍光桃色インキ１．０ｇ、蛍光黄色インキ１．０ｇを夫々のインキ吸蔵体２０に充填した。
【００４１】
上記構成により得られたサインペンは、組立後、各桃色インキ、黄色インキがインキ誘導管３０、３０を通過することが視認部１２、１２を介して視認することができ、次いで、ペン先５０ａ、５０ａに浸透していきアンダーライン用ペンとしてインキ流出量も直液式筆記具のようにインキ終了までほぼ一定で、良好な描線を描くことができることが判った。
各インキ吸蔵体２０、２０に含浸したインキが終了するまで筆記を続けたところ、インキ誘導管３０、３０に桃色インキ、黄色インキがなくなっていること、すなわち、インキ吸蔵体２０からのインキ終了サインを軸筒１０に形成した視認部１２、１２を介して上記インキ誘導管３０、３０を視認することにより簡単に、確実に検知することができた。
更に、インキ誘導管３０、３０で終了を検知した後、急激に各インキの流出量が減衰して筆記できなくなった。
【００４２】
〔実施例２、アンダーラインペン、水性ボールペン〕
下記構成の軸筒、インキ吸蔵体、インキ誘導管、中継芯、ペン先、インキ組成を用いた図１４に準拠するアンダーライン、水性ボールペン用ツインペンＫを作製した。
▲１▼軸筒１０
ＰＰ製、全長１００ｍｍ、各視認部１２の長さ１０ｍｍ
▲２▼インキ吸蔵体２０、２０
共にＰＥＴ製の中綿から構成（気孔率８０％）、直径７ｍｍ、長さ４０ｍｍ
▲３▼インキ誘導管３０、３０
共にＰＰ製、内径２ｍｍ、外径３ｍｍ、長さ２０ｍｍ、インキ流路断面積０．０３ｍｍ２、インキ誘導管の材質自体（内面、以下同様）の表面張力（２５℃）３１ｍＮ／ｍ、後端部分がインキ吸蔵体２０に嵌入する長さ５ｍｍ
▲４▼中継芯２６ａ、２６ｂ
共にＰＥＴ製のスライバーから構成（気孔率７０％）、直径２ｍｍ、長さ３０ｍｍ、インキ誘導管３０内に嵌入する長さ５ｍｍ
▲５▼ペン先５０ａ，５０ｂ
ペン先５０ａは、ＰＥＴ製のスライバー芯から構成（気孔率６０％）、長さ１５ｍｍ
ペン先５０ｂは、アクリル繊維のスライバー芯から構成（気孔率６０％）、長さ１５ｍｍ、ボール径０．７ｍｍ
▲６▼インキ組成
インキ吸蔵体２０ａには、上記▲４▼の黒色水性ボールペン用インキ１．０ｇ、インキ吸蔵体２０ｂには、上記▲１▼の蛍光青色インキ１．０ｇを夫々充填した。
【００４３】
上記構成により得られたペンは、組立後、各黒色インキ、青色インキがインキ誘導管３０、３０を通過することが視認部１２、１２を介して視認することができ、次いで、ペン先５０ａ、５０ｂに浸透していきアンダーライン用ペン、水性ボールペン用ペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管３０、３０に黒色インキ、青色インキがなくなっていること、すなわち、インキ吸蔵体２０からのインキ終了サインを軸筒１０に形成した視認部１２、１２を介して上記インキ誘導管３０、３０を視認することにより簡単に、確実に検知することができた。
更に、インキ誘導管３０、３０で終了を検知した後、急激に各インキの流出量が減衰して筆記できなくなった。
【００４４】
〔実施例３、油性サインペン、水性サインペン〕
下記構成の軸筒、インキ吸蔵体、インキ誘導管、中継芯、ペン先、インキ組成を用いた図１５に準拠する油性サインペン及び水性サインペンとなるツインペンＬを作製した。
▲１▼軸筒１０
ＰＰ製、全長１００ｍｍ、各視認部１３の長さ１０ｍｍ
▲２▼インキ吸蔵体２０ａ、２０ｂ
インキ吸蔵体２０ａは、アクリル製の中綿から構成（気孔率８０％）、直径７ｍｍ、長さ４０ｍｍ
インキ吸蔵体２０ｂは、ＰＥＴ製の中綿から構成（気孔率８０％）、直径７ｍｍ、長さ４０ｍｍ
▲３▼インキ誘導管４０ａ、４０ｂ
共にＰＰ製、内径２ｍｍ、外径３ｍｍ、長さ２０ｍｍ、インキ流路断面積０．０３ｍｍ２、インキ誘導管の内面をフッ素樹脂処理した。その内面の表面張力（２５℃）２０ｍＮ／ｍ未満、後端部分がインキ吸蔵体２０に嵌入する長さ５ｍｍ▲４▼中継芯２７ａ、２７ｂ
共にＰＥＴ製のスライバーから構成（気孔率７０％）、直径２ｍｍ、長さ３０ｍｍ、インキ誘導管３０内に嵌入する長さ５ｍｍ
▲５▼ペン先６０ａ、６０ｂ
共にＰＥＴ製のスライバー芯から構成（気孔率６０％）、長さ１５ｍｍ
▲６▼インキ組成
インキ吸蔵体２０ａには、上記▲２▼の青色油性サインペン用インキ１．０ｇ、インキ吸蔵体２０ｂには、上記▲３▼の黒色水性サインペン用インキ１．０ｇを夫々充填した。
【００４５】
上記構成により得られたペンは、組立後、各黒色インキ、青色インキがインキ誘導管４０ａ、４０ｂを通過することが視認部１３、１３を介して視認することができ、次いで、ペン先６０ａ、６０ｂに浸透していき油性サインペン、水性サインペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管４０ａ、４０ｂに黒色インキ、青色インキがなくなっていること、すなわち、インキ吸蔵体２０ａ、２０ｂからのインキ終了サインを軸筒１０に形成した視認部１３、１３を介して上記インキ誘導管４０ａ、４０ｂを視認することにより簡単に、確実に検知することができた。
更に、インキ誘導管４０ａ、４０ｂで終了を検知した後、急激に各インキの流出量が減衰して筆記できなくなった。
【００４６】
〔実施例４、水性サインペン（極細）、水性サインペン（細字）〕
下記構成の軸筒、インキ吸蔵体、インキ誘導管、中継芯、ペン先、インキ組成を用いた図１５に準拠する水性サインペン及び水性サインペンとなるツインペンＬを作製した。
▲１▼軸筒１０
ＰＰ製、全長１００ｍｍ、各視認部１３の長さ１０ｍｍ
▲２▼インキ吸蔵体２０ａ、２０ｂ
共にＰＥＴ製の中綿から構成（気孔率８０％）、直径７ｍｍ、長さ４０ｍｍ
▲３▼インキ誘導管４０ａ、４０ｂ
共にＰＰ製、内径２ｍｍ、外径３ｍｍ、長さ２０ｍｍ、インキ流路断面積０．０３ｍｍ２、インキ誘導管の内面をシリコーン処理した。その内面の表面張力（２５℃）約２０ｍＮ／ｍ、後端部分がインキ吸蔵体２０に嵌入する長さ５ｍｍ
▲４▼中継芯２７ａ、２７ｂ
共にＰＥＴ製のスライバーから構成（気孔率７０％）、直径２ｍｍ、長さ３０ｍｍ、インキ誘導管３０内に嵌入する長さ５ｍｍ
▲５▼ペン先６０ａ、６０ｂ
極細ペン先、細字ペン先とした以外は、共にＰＥＴ製のスライバー芯から構成（気孔率６０％）、長さ１５ｍｍ
▲６▼インキ組成
インキ吸蔵体２０ａ、２０ｂには、共に上記▲３▼の黒色水性サインペン用インキ１．０ｇを夫々充填した。
【００４７】
上記構成により得られたペンは、組立後、各黒色インキがインキ誘導管４０ａ、４０ｂを通過することが視認部１３、１３を介して視認することができ、次い、ペン先６０ａ、６０ｂに浸透していき水性サインペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管４０ａ、４０ｂに各黒色インキがなくなっていること、すなわち、インキ吸蔵体２０ａ、２０ｂからのインキ終了サインを軸筒１０に形成した視認部１３、１３を介して上記インキ誘導管４０ａ、４０ｂを視認することにより簡単に、確実に検知することができた。
更に、インキ誘導管４０ａ、４０ｂで終了を検知した後、急激に各インキの流出量が減衰して筆記できなくなった。
【００４８】
〔実施例５、油性サインペン（太字）、油性サインペン（中字）〕
下記構成の軸筒、インキ吸蔵体、インキ誘導管、中継芯、ペン先、インキ組成を用いた図１５に準拠する水性サインペン及び水性サインペンとなるツインペンＬを作製した。
▲１▼軸筒１０
ＰＰ製、全長１００ｍｍ、各視認部１３の長さ１０ｍｍ
▲２▼インキ吸蔵体２０ａ、２０ｂ
インキ吸蔵体２０ａは、アクリル製の中綿から構成（気孔率８０％）、直径７ｍｍ、長さ４０ｍｍ
インキ吸蔵体２０ｂは、ＰＥＴ製の中綿から構成（気孔率８０％）、直径７ｍｍ、長さ４０ｍｍ
▲３▼インキ誘導管４０ａ、４０ｂ
共にＰＰ製、内径２ｍｍ、外径３ｍｍ、長さ２０ｍｍ、インキ流路断面積０．０３ｍｍ２、インキ誘導管の内面をフッ素樹脂処理した。その内面の表面張力（２５℃）２０ｍＮ／ｍ未満、後端部分がインキ吸蔵体２０に嵌入する長さ５ｍｍ
▲４▼中継芯２７ａ、２７ｂ
共にＰＥＴ製のスライバーから構成（気孔率７０％）、直径２ｍｍ、長さ３０ｍｍ、インキ誘導管３０内に嵌入する長さ５ｍｍ
▲５▼ペン先６０ａ、６０ｂ
太字ペン先、中字ペン先とした以外は、共にＰＥＴ製のスライバー芯から構成（気孔率６０％）、長さ１５ｍｍ
▲６▼インキ組成
インキ吸蔵体２０ａ、２０ｂには、共に上記▲２▼の青色油性サインペン用インキ１．０ｇを夫々充填した。
【００４９】
上記構成により得られたペンは、組立後、各青色インキがインキ誘導管４０ａ、４０ｂを通過することが視認部１３、１３を介して視認することができ、次い、ペン先６０ａ、６０ｂに浸透していき油性サインペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管４０ａ、４０ｂに各青色インキがなくなっていること、すなわち、インキ吸蔵体２０ａ、２０ｂからのインキ終了サインを軸筒１０に形成した視認部１３、１３を介して上記インキ誘導管４０ａ、４０ｂを視認することにより簡単に、確実に検知することができた。
更に、インキ誘導管４０ａ、４０ｂで終了を検知した後、急激に各インキの流出量が減衰して筆記できなくなった。
【００５０】
〔実施例６、水性ボールペン（太字）、水性ボールペン（細字）〕
下記構成の軸筒、インキ吸蔵体、インキ誘導管、中継芯、ペン先、インキ組成を用いた図１６に準拠する水性ボールペン（太字、細字）となるツインペンＭを作製した。
▲１▼軸筒１０
ＰＰ製、全長１００ｍｍ、各視認部１２、１３の長さ１０ｍｍ
▲２▼インキ吸蔵体２０ａ、２０ｂ
共にＰＥＴ製の中綿から構成（気孔率８０％）、直径７ｍｍ、長さ４０ｍｍ
▲３▼インキ誘導管３０ａ、４０ａ
共にＰＰ製、内径２ｍｍ、外径３ｍｍ、長さ２０ｍｍ、インキ流路断面積０．０３ｍｍ２、インキ誘導管の内面をシリコーン処理した。その内面の表面張力（２５℃）約２０ｍＮ／ｍ、後端部分がインキ吸蔵体２０に嵌入する長さ５ｍｍ
▲４▼中継芯２８ａ、２８
共にＰＥＴ製のスライバーから構成（気孔率７０％）、直径２ｍｍ、長さ３０ｍｍ、インキ誘導管３０内に嵌入する長さ５ｍｍ
▲５▼ペン先５０ｂ、６０ｃ
ペン先５０ｂは、アクリル繊維のスライバー芯から構成（気孔率６０％）、長さ１５ｍｍ、ボール径０．３ｍｍ
ペン先６０ｃは、アクリル繊維のスライバー芯から構成（気孔率６０％）、長さ１５ｍｍ、ボール径０．７ｍｍ
▲６▼インキ組成
インキ吸蔵体２０ａ、２０ｂには、共に上記▲４▼の黒色水性ボールペン用インキ１．０ｇを夫々充填した。
【００５１】
上記構成により得られたペンは、組立後、各黒色インキがインキ誘導管３０ａ、４０ａを通過することが視認部１２、１３を介して視認することができ、次い、ペン先５０ｂ、６０ｃに浸透していき水性ボールペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管３０ａ、４０ａに各黒色インキがなくなっていること、すなわち、インキ吸蔵体２０ａ、２０ｂからのインキ終了サインを軸筒１０に形成した視認部１２、１３を介して上記インキ誘導管３０ａ、４０ａを視認することにより簡単に、確実に検知することができた。
更に、インキ誘導管３０ａ、４０ａで終了を検知した後、急激に各インキの流出量が減衰して筆記できなくなった。
【００５２】
〔実施例７、黒色水性ボールペン、赤色水性ボールペン〕
下記構成の軸筒、インキ吸蔵体、インキ誘導管、中継芯、ペン先、インキ組成を用いた図１６に準拠する黒色、赤色水性ボールペンとなるツインペンＭを作製した。
▲１▼軸筒１０
ＰＰ製、全長１００ｍｍ、各視認部１２、１３の長さ１０ｍｍ
▲２▼インキ吸蔵体２０ａ、２０ｂ
共にＰＥＴ製の中綿から構成（気孔率８０％）、直径７ｍｍ、長さ４０ｍｍ
▲３▼インキ誘導管３０ａ、４０ａ
共にＰＰ製、内径２ｍｍ、外径３ｍｍ、長さ２０ｍｍ、インキ流路断面積０．０３ｍｍ２、インキ誘導管の材質自体（内面、以下同様）の表面張力（２５℃）３１ｍＮ／ｍ、後端部分がインキ吸蔵体２０に嵌入する長さ５ｍｍ
▲４▼中継芯２８ａ、２８
共にＰＥＴ製のスライバーから構成（気孔率７０％）、直径２ｍｍ、長さ３０ｍｍ、インキ誘導管３０内に嵌入する長さ５ｍｍ
▲５▼ペン先５０ｂ、６０ｃ
共にアクリル繊維のスライバー芯から構成（気孔率６０％）、長さ１５ｍｍ、ボール径０．５ｍｍ
▲６▼インキ組成
インキ吸蔵体２０ａには、上記▲４▼の黒色水性ボールペン用インキ１．０ｇを、インキ吸蔵体２０ｂには、上記▲５▼の赤色水性ボールペン用インキ１．０ｇを夫々充填した。
【００５３】
上記構成により得られたペンは、組立後、各黒色、赤色インキがインキ誘導管３０ａ、４０ａを通過することが視認部１２、１３を介して視認することができ、次いで、ペン先５０ｂ、６０ｃに浸透していき水性ボールペンとしてインキ流出量も直液式筆記具のようにインキ終了までほぼ一定で、良好な描線を描くことができることが判った。
各インキ吸蔵体２０ａ、２０ｂに含浸した各インキが終了するまで筆記を続けたところ、インキ誘導管３０ａ、４０ａに各黒色、赤色インキがなくなっていること、すなわち、インキ吸蔵体２０ａ、２０ｂからのインキ終了サインを軸筒１０に形成した視認部１２、１３を介して上記インキ誘導管３０ａ、４０ａを視認することにより簡単に、確実に検知することができた。
更に、インキ誘導管３０ａ、４０ａで終了を検知した後、急激に各インキの流出量が減衰して筆記できなくなった。
【００５４】
〔実施例８、アンダーライン用、サインペン用〕
下記構成の軸筒、インキ吸蔵体、インキ誘導管、ペン先、インキ組成を用いた図５に準拠するツイン型アンダーライン、サインペン用ペンＢを作製した。
▲１▼軸筒１０
ＰＰ製、全長１００ｍｍ、各視認部１２、１３の長さ１０ｍｍ
▲２▼インキ吸蔵体２０
ＰＥＴ製の中綿から構成（気孔率８０％）、直径７ｍｍ、長さ９０ｍｍ
▲３▼インキ誘導管３０、４０
共にＰＰ製、内径２ｍｍ、外径３ｍｍ、長さ２０ｍｍ、インキ流路断面積０．０３ｍｍ２、インキ誘導管の材質自体（内面、以下同様）の表面張力（２５℃）３１ｍＮ／ｍ、後端部分がインキ吸蔵体２０に嵌入する長さ５ｍｍ
▲４▼ペン先５０ａ、６０ａ
アンダーライン用、サインペン用とした以外は共にＰＥＴ製のスライバー芯から構成（気孔率６０％）、長さ１５ｍｍ
▲５▼インキ組成
上記▲１▼の蛍光緑色インキ２．０ｇをインキ吸蔵体２０に充填した。
【００５５】
上記構成により得られたペンは、組立後、各緑色インキがインキ誘導管３０、４０を通過することが視認部１２、１３を介して視認することができ、次いで、ペン先５０ａ、６０ａに浸透していきアンダーライン用ペン、サインペン用としてインキ流出量も直液式筆記具のようにインキ終了までほぼ一定で、良好な描線を描くことができることが判った。
インキ吸蔵体２０に含浸したインキが終了するまで筆記を続けたところ、インキ誘導管３０、４０に緑色インキがなくなっていること、すなわち、インキ吸蔵体２０からのインキ終了サインを軸筒１０に形成した視認部１２、１３を介して上記インキ誘導管３０、４０を視認することにより簡単に、確実に検知することができた。
更に、インキ誘導管３０、４０で終了を検知した後、急激に各インキの流出量が減衰して筆記できなくなった。
【００５６】
【発明の効果】
本発明によれば、軸筒の両側に筆記部となるペン先を備えると共に、軸筒内のインキ吸蔵体に含浸されたインキを夫々のペン先に供給するツインタイプの筆記具であっても、簡単な構成により、インキの終了サインを視覚により簡単に、かつ、確実に検知することができると共に、インキ流出量も直液式筆記具のようにインキ終了までほぼ一定で、良好な描線を描くことができる筆記具が提供される。
【図面の簡単な説明】
【図１】本発明の第１実施形態を示す筆記具の縦断面図である。
【図２】（ａ）〜（ｊ）はインキ誘導管３０の各形態となる横断面図である。
【図３】本発明の第１実施形態を示す筆記具の部分縦断面図である。
【図４】（ａ）はインキ吸蔵体２０の変形例を示す部分縦断面図であり、（ｂ）は軸筒１０及びインキ吸蔵体２０の変形例を示す部分縦断面図であり、（ｃ）は、軸筒１０の変形例を示す部分縦断面図である。
【図５】本発明の第２実施形態を示す筆記具の縦断面図である。
【図６】本発明の第３実施形態を示す筆記具の縦断面図である。
【図７】本発明の第４実施形態を示す筆記具の縦断面図である。
【図８】本発明の第５実施形態を示す筆記具の縦断面図である。
【図９】本発明の第６実施形態を示す筆記具の部分縦断面図であり、（ｂ）はその要部、すなわち、インキ誘導管、中継芯、インキ含浸体の接合状態を示す部分縦断面図である。
【図１０】（ａ）は本発明の第７実施形態を示す筆記具の部分縦断面図であり、（ｂ）はその要部を示す部分縦断面図である。
【図１１】（ａ）は本発明の第８実施形態を示す筆記具の部分縦断面図であり、（ｂ）及び（ｃ）はその要部を示す部分縦断面図である。
【図１２】本発明の第９実施形態を示す筆記具の縦断面図である。
【図１３】本発明の第１実施例に適用される筆記具の縦断面図である。
【図１４】本発明の第２実施例に適用される筆記具の縦断面図である。
【図１５】本発明の第３〜第５実施例に適用される筆記具の縦断面図である。
【図１６】本発明の第６、第７実施例に適用される筆記具の縦断面図である。
【符号の説明】
Ａ　　　　筆記具
１０　　　　軸筒
１２、１３　視認部
２０　　　　インキ吸蔵体
３０、４０　視認性を有するインキ誘導管
５０、６０　ペン先
【図１】
2004066478.tif 000003
【図２】
2004066478.tif 000004
【図３】
2004066478.tif 000005
【図４】
2004066478.tif 000006
【図５】
2004066478.tif 000007
【図６】
2004066478.tif 000008
【図７】
2004066478.tif 000009
【図８】
2004066478.tif 000010
【図９】
2004066478.tif 000011
【図１０】
2004066478.tif 000012
【図１１】
2004066478.tif 000013
【図１２】
2004066478.tif 000014
【図１３】
2004066478.tif 000015
【図１４】
2004066478.tif 000016
【図１５】
2004066478.tif 000017
【図１６】
2004066478.tif 000018